(57)【特許請求の範囲】
【請求項１】
表面シートと、該表面シートに重合するように配置した裏面シートとから成り、前記両シートの少なくとも一側端部を開放して該両シートの対向面間に収納物を収納する収納ホルダの形成方法であって、
略同形状の略矩形状の２枚のシート材を、２つ重ねにすることで前記両シートを形成し、前記両シートの少なくとも一側端部を開放可能に残して他の側端部の対向面間を互いに貼着し、
前記表面シートの所定部を該表面シートから切除するとともに前記所定部を前記裏面シートに所定の非貼着部を残して貼着することで、収納ホルダが形成されるように成っており、
前記表面シートの所定部を切除することで前記両シートの対向面間を開放操作可能な切欠部が形成されるとともに、前記非貼着部は、前記両シートの対向面間の収納物を係止する係止部に成っていることを特徴とする収納ホルダの形成方法。
【請求項２】
表面シートと、該表面シートに重合するように配置した裏面シートとから成り、前記両シートの少なくとも一側端部を開放して該両シートの対向面間に収納物を収納する収納ホルダの形成方法であって、
所定の折線を中心に平面視略対称の略矩形状の原シート材を、前記折線に沿って２つ折りにすることで前記折線を境に前記両シートを形成し、前記両シートの少なくとも一側端部を開放可能に残して他の側端部の対向面間を互いに貼着し、
前記表面シートの所定部を該表面シートから切除するとともに前記所定部を前記裏面シートに所定の非貼着部を残して貼着することで、収納ホルダが形成されるように成っており、
前記表面シートの所定部を切除することで前記両シートの対向面間を開放操作可能な切欠部が形成されるとともに、前記非貼着部は、前記両シートの対向面間の収納物を係止する係止部に成っていることを特徴とする収納ホルダの形成方法。
【発明の詳細な説明】
【技術分野】
【０００１】
本発明は、表面シートと、この表面シートに重合するように配置した裏面シートとから成り、これら両シートの少なくとも一側端部を開放して両シートの対向面間に収納物を収納する収納ホルダの形成方法に関する。
【背景技術】
【０００２】
従来の収納ホルダは、収納ホルダを構成する両シートの少なくとも一側端部が開放可能に形成されており、所定サイズの紙類・書類等の収納物を、これら両シートの対向面間に挟むことで収納している（例えば、特許文献１参照）。
【先行技術文献】
【特許文献】
【０００３】
【特許文献１】実用新案登録第３１４６０４６号公報（第４頁、第２図）
【発明の概要】
【発明が解決しようとする課題】
【０００４】
しかしながら、特許文献１にあっては、両シートの対向面間に収納された収納物が、開放可能に形成された両シートの側端部から脱落してしまう虞が生じるという問題がある。
【０００５】
本発明は、このような問題点に着目してなされたもので、収納物を脱落させることなく確実に収納できる収納ホルダの形成方法を提供することを目的とする。
【課題を解決するための手段】
【０００９】
本発明の収納ホルダの形成方法は、
表面シートと、該表面シートに重合するように配置した裏面シートとから成り、前記両シートの少なくとも一側端部を開放して該両シートの対向面間に収納物を収納する収納ホルダの形成方法であって、
略同形状の略矩形状の２枚のシート材を、２つ重ねにすることで前記両シートを形成し、前記両シートの少なくとも一側端部を開放可能に残して他の側端部の対向面間を互いに貼着し、
前記表面シートの所定部を該表面シートから切除するとともに前記所定部を前記裏面シートに所定の非貼着部を残して貼着することで、収納ホルダが形成されるように成っており、
前記表面シートの所定部を切除することで前記両シートの対向面間を開放操作可能な切欠部が形成されるとともに、前記非貼着部は、前記両シートの対向面間の収納物を係止する係止部に成っていることを特徴としている。
この特徴によれば、収納ホルダの両シートの対向面間を開放可能とする切欠部を形成するため表面シートから切除した切除片を利用して、この切除片を裏面シートの開放可能な側端部に貼着し、この切除片の非貼着部が収納物を係止する係止部に成っていることで、切欠部を形成するためシートから切除し生じる残余物を減じることができるばかりか、略同形状の２枚のシート材を材料にして収納ホルダを容易に形成できる。
【００１０】
本発明の収納ホルダの形成方法は、
表面シートと、該表面シートに重合するように配置した裏面シートとから成り、前記両シートの少なくとも一側端部を開放して該両シートの対向面間に収納物を収納する収納ホルダの形成方法であって、
所定の折線を中心に平面視略対称の略矩形状の原シート材を、前記折線に沿って２つ折りにすることで前記折線を境に前記両シートを形成し、前記両シートの少なくとも一側端部を開放可能に残して他の側端部の対向面間を互いに貼着し、
前記表面シートの所定部を該表面シートから切除するとともに前記所定部を前記裏面シートに所定の非貼着部を残して貼着することで、収納ホルダが形成されるように成っており、
前記表面シートの所定部を切除することで前記両シートの対向面間を開放操作可能な切欠部が形成されるとともに、前記非貼着部は、前記両シートの対向面間の収納物を係止する係止部に成っていることを特徴としている。
この特徴によれば、収納ホルダの両シートの対向面間を開放可能とする切欠部を形成するため表面シートから切除した切除片を利用して、この切除片を裏面シートの開放可能な側端部に貼着し、この切除片の非貼着部が収納物を係止する係止部に成っていることで、切欠部を形成するためシートから切除し生じる残余物を減じることができるばかりか、原シート材を材料にして収納ホルダを容易に形成できる。
【図面の簡単な説明】
【００１１】
【図１】（ａ）は、実施例１における収納ホルダを示す正面図であり、（ｂ）は、（ａ）のＡ−Ａ断面図である。
【図２】２枚の紙製シート材を示す正面図である。
【図３】紙製シート材を重合した状態を示す正面図である。
【図４】収納物を収納した収納ホルダを示す図である。
【図５】原シート材を示す正面図である。
【図６】２つ折りにした原シート材を示す正面図である。
【図７】変形例１における収納ホルダを示す正面図である。
【図８】変形例２における収納ホルダを示す正面図である。
【図９】変形例３における収納ホルダを示す正面図である。
【発明を実施するための形態】
【００１２】
本発明に係る収納ホルダの形成方法を実施するための形態を実施例に基づいて以下に説明する。
【実施例１】
【００１３】
先ず、実施例１に係る収納ホルダの構造につき、図１から図４を参照して説明する。以下、図１（ａ）及び図３，４の紙面上下左右側を、収納ホルダの上下左右側として説明する。図１の符号１０は、本発明の適用された収納ホルダである。収納ホルダ１０は、例えば各種寸法の用紙や書類、写真等の収納物（以下、収納物Ｓと称する）を収納するべく、この収納物Ｓの所定サイズ（本実施例ではＡ４サイズ）よりも若干大きい寸法の略矩形状の紙製の両シート１１，１２から主に構成されている。
【００１４】
収納ホルダ１０は、より具体的には、収納物の表面側に位置する表面シート１１と、この表面シート１１に重合するように配置した裏面シート１２とから成る。両シート１１，１２は、略同形状の縦長略矩形状に形成され、図１（ａ）の紙面の左側端部及び下側端部が閉塞され、右側端部及び上側端部が開放可能な構造と成っており、両シート１１，１２の右側端部及び／または上側端部を互いに開放することで、両シート１１，１２の対向面１１ａ，１２ａ間に収納物Ｓを収納できるように構成される。尚、表面シート１１は透光性を有する素材で、更に裏面シート１２は透光性を有さない素材で成ることが好ましいが、例えば、両面ともに透光性を有する素材であっても構わないし、透光性を有さない素材であっても構わない。
【００１５】
尚、本発明に係る収納ホルダは、両シートの少なくとも一側端部が開放可能に構成されていればよく、例えば左右何れかの側端部、若しくは上側端部に限り開放可能であっても構わない。
【００１６】
図１（ａ）、（ｂ）及び図４に示されるように、表面シート１１は、開放可能な右側端部の上側が上側端部にかけて所定大きさ切り欠かれた切欠部１３として形成されており、この切欠部１３を介し表面シート１１を裏面シート１２に対して捲ることで、両シート１１，１２を開放操作し易く成っている。尚、切欠部は、側端部の中央側のみに形成されていてもよい。
【００１７】
また、裏面シート１２は、右側端部の上側が上側端部にかけて右側端縁よりも右方に突出した鍔部１４として形成されており、鍔部１４を把持することでタックとして使用し収納ホルダ１０を取り扱いが容易となるばかりか、鍔部１４の表面に収納物の表示を施すことでインデックスとして使用できる。尚、鍔部は、側端部の中央側のみに形成されていてもよい。
【００１８】
次に、収納ホルダ１０の形成方法について、その手順に従って説明する。
【００１９】
上述した収納ホルダ１０は、図２に示されるように、略矩形状の２枚の紙製シート材１１、１２を後述のように加工することで形成される。紙製シート材１１、１２は略同形状をしており、それぞれ突出部２、３が形成されている。
【００２０】
図３に示されるように、この紙製シート材１１、１２を２つ重ねにして重合するとともに、重合した両シート材の下側及び左側端部の接着部Ｎを接着することで、表面シート１１及び裏面シート１２が形成されることになる。また左側端部及び下側端部は接着部Ｎにより閉塞され、右側端部及び上側端部は開放可能に成っている。
【００２１】
次に、重合した表面シート１１及び裏面シート１２の図示右方に突出した箇所を含む突出部２、３同士を、収納ホルダ１０の収納内部側、すなわち図示左側の非貼着部Ｈを残して貼着部Ｔを互いに貼着する。貼着部Ｔを貼着した後に、表面シート１１に成る側の突出部２を、所定の切取線Ｋに沿って表面シート１１から切除することで、表面シート１１の右側端部の上側に切欠部１３が形成されるとともに、裏面シート１２の右側端部の上側に、表面シート１１から切除された切除片１１ｂが貼着された鍔部１４が形成されることになる。特に、表面シート１１から切除された切除片１１ｂは、表面シート１１に重合した裏面シート１２における、表面シート１１の切欠部１３に相当する箇所に、貼着されることになる。
【００２２】
尚、本実施例では、先ず重合した両シート１１，１２の突出部同士を貼着し、後に表面シート１１側の前記突出部を切除することで、表面シート１１の切欠部１３及び裏面シート１２の鍔部１４が形成されているが、表面シート１１から切除した切除片を利用して鍔部１４を形成していれば、切欠部１３及び鍔部１４を形成するための順序は必ずしも上記順序に限らない。例えば、先ず表面シート１１に成る側の突出部２を切除し、後に切除された切除片１１ｂを裏面シート１２の突出部３に貼着することで、切欠部１３及び鍔部１４を形成しても構わない。更に尚、表面シート１１から切除した切除片を利用して鍔部１４を形成していれば、表面シート１１の側端部を切除するものに限られず、例えば表面シートの中央部を切除するとともに、表面シートから切除された中央部である切除片を、裏面シートの開放可能な側端部に非貼着部を残して貼着しても構わない。
【００２３】
図４に示されるように、裏面シート１２の突出部と、この突出部に貼着された切除片１１ｂとの間に形成された非貼着部Ｈに、収納ホルダ１０に収納された収納物Ｓの右上端縁を係止することで、収納物Ｓの収納ホルダ１０からの脱落を防止できる。すなわち非貼着部Ｈは、両シート１１，１２の対向面１１ａ，１２ａ間の収納物Ｓを係止する係止部に成っている。特に、非貼着部Ｈが、収納ホルダ１０に収納された所定サイズの収納物Ｓの端縁を係止するべく、収納ホルダ１０の所定箇所に形成されている。
【００２４】
以上説明したように、収納ホルダ１０の両シート１１，１２の対向面１１ａ，１２ａ間を開放可能とする切欠部１３を形成するため表面シート１１から切除した切除片１１ｂを利用して、この切除片１１ｂを裏面シート１２の開放可能な側部に貼着し、この切除片１１ｂの非貼着部Ｈが収納物Ｓを係止する係止部に成っていることで、切欠部１３を形成するため表面シート１１から切除し生じる残余物を減じることができるばかりか、収納物Ｓを切除片１１ｂの非貼着部Ｈに配置させるだけで、収納物Ｓを収納ホルダ１０の開放可能な側端部から脱落させず確実に収納できる。
【００２５】
また、切除片１１ｂが、裏面シート１２における、この切除片１１ｂと同じ形状である切欠部１３に相当する箇所に貼着されていることで、収納ホルダ１０の全面に亘り厚さを均一にできるばかりか、外観体裁を損なうことがない。
【００２６】
また、裏面シート１２の端縁よりも突出するように貼着された切除片１１ｂを、収納ホルダ１０のタグや把手等として利用できる。
【００２７】
また、上述した収納ホルダ１０の形成方法によれば、収納ホルダ１０の両シート１１，１２の対向面１１ａ，１２ａ間を開放可能とする切欠部１３を形成するため表面シート１１から切除した切除片１１ｂを利用して、この切除片１１ｂを裏面シート１２の開放可能な側部に貼着し、切除片１１ｂの非貼着部Ｈが収納物Ｓを係止する係止部に成っていることで、切欠部１３を形成するため表面シート１１から切除し生じる残余物を減じることができるばかりか、略同形状の２枚の紙製シート材１１、１２を材料にして収納ホルダを容易に形成できる。
【実施例２】
【００２８】
次に、実施例２にかかる収納ホルダ１０’の形成方法について、図５，６を参照してその手順に従って説明する。尚、上述した形成方法と重複する説明については省略する。
【００２９】
収納ホルダ１０’は、図５に示されるように、紙製の原シート材１を後述のように加工することで形成される。原シート材１は、上述した両シート１１’，１２’を左右に連続配置した大きさの横長略矩形状であって、図示中央に上下方向に示される折線Ｌを中心線として、図示左右略対称に形成されている。また原シート材１の左右両側端部の上側が、それぞれ左右側端縁よりも左右方向に突出した突出部２’，３’に形成されている。この原シート材１は、図示しない原シートロールを所定延長ピッチで裁断することで、連続的に多数枚形成できるように成っており、隣接する原シート材１，１の突出部２’，３’を上下反転配置して裁断することで、突出部２’，３’の形成による余白分の無駄を省ける構成になっている。
【００３０】
図６に示されるように、この原シート材１を折線Ｌに沿って２つ折りにして重合するとともに、重合した原シート材１の下側端部の接着部Ｎを接着することで、折線Ｌを境にして表面シート１１’及び裏面シート１２’が形成されることになる。図６に示されるように、重合した原シート材１の左側端部は折線Ｌにより閉塞され、重合した原シート材１の下側端部は接着部Ｎにより閉塞される。また、重合した原シート材１の右側端部及び上側端部は開放可能に成っている。
【００３１】
次に、重合した原シート材１の図示右方に突出した箇所を含む突出部２’、３’同士を、収納ホルダ１０’の収納内部側、すなわち図示左側の非貼着部Ｈを残して貼着部Ｔを互いに貼着する。貼着部Ｔを貼着した後に、表面シート１１’に成る側の突出部２を、所定の切取線Ｋに沿って表面シート１１’から切除することで、上記した実施例１と同様に、表面シート１１’の右側端部の上側に切欠部が形成されるとともに、裏面シート１２’の右側端部の上側に、表面シート１１’から切除された切除片が貼着された鍔部が形成されることになる。特に、表面シート１１’から切除された切除片は、表面シート１１’に重合した裏面シート１２’における、表面シート１１’の前記切欠部に相当する箇所に、貼着されることになる。
【００３２】
上述した収納ホルダ１０’の形成方法によれば、収納ホルダ１０’の両シート１１’，１２’の対向面間を開放可能とする切欠部を形成するため表面シート１１’から切除した切除片を利用して、この切除片を裏面シート１２’の開放可能な側端部に貼着し、この切除片の非貼着部が収納物を係止する係止部に成っていることで、切欠部を形成するためシートから切除し生じる残余物を減じることができるばかりか、原シート材１を材料にして収納ホルダを容易に形成できる。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、本発明に係る収納ホルダの変形例１として、図７に示されるように、収納ホルダ２０の切欠部２３及び鍔部２４が、収納ホルダ２０の開放可能な上側端部に設けられていてもよい。このようにすることで、収納ホルダ２０の上方からアプローチして取り扱いがし易い。
【００３５】
また例えば、本発明に係る収納ホルダの変形例２として、図８に示されるように、収納ホルダ３０の把持部３４が、収納ホルダ３０の開放可能な右側端部の中央側に、右側端縁に直線状に連続して設けられていてもよい。このようにすることで、収納ホルダ３０が、全体に突出箇所を特に有しない略矩形状に形成できるため、収納ホルダ３０の収容が容易になる。更に把持部３４を収納ホルダの側端部の中央側に配置することで、収納ホルダ３０の端縁の角部をアール部３５に形成できるなど適宜の形状にする自由度が高まる。
【００３６】
また例えば、本発明に係る収納ホルダの変形例３として、図９に示されるように、収納ホルダ４０の把持部４４が、収納ホルダ４０の開放可能な右側端部と上側端部とに連続する角部に設けられていてもよい。このようにすることで、収納ホルダ４０の両シートの対向面間を容易に開放できる。
【００３７】
また、収納ホルダの形状・寸法、材質、形成方法は、上述した実施例や変形例に限定されるものではなく、適宜設定・変更できるものである。例えば、収納ホルダの材質は、所定の樹脂製であってもよい。
【符号の説明】
【００３８】
１                原シート材
１０，１０’      収納ホルダ
１１，１１’      表面シート
１１ａ            対向面
１１ｂ            切除片
１２，１２’      裏面シート
１２ａ            対向面
１３              切欠部
１４              鍔部
２０，３０，４０  収納ホルダ
【図１】
0005393370.tif 000002
【図２】
0005393370.tif 000003
【図３】
0005393370.tif 000004
【図４】
0005393370.tif 000005
【図５】
0005393370.tif 000006
【図６】
0005393370.tif 000007
【図７】
0005393370.tif 000008
【図８】
0005393370.tif 000009
【図９】
0005393370.tif 000010